(57)【要約】【課題】製造コストの増大やデザイン性の低下を招かずに外部アンテナを無線端末に接続する仕組みを提供し、外部アンテナによるアンテナダイバーシチ効果を得ることが可能な充電器を提供すること。【解決手段】無線端末と接続するための接続部と、前記接続部に接続された無線端末に直流電源を供給するための給電ラインと、無線信号を受信するための充電器側無線アンテナと、前記給電ラインに流れる直流電源に前記充電器側無線アンテナにより受信された無線信号を重畳する信号重畳部と、を備える、充電器が提供される。【選択図】図１
2011087166.tif 000002
【特許請求の範囲】
【請求項１】
無線端末と接続するための接続部と、
前記接続部に接続された無線端末に直流電源を供給するための給電ラインと、
無線信号を受信するための充電器側無線アンテナと、
前記給電ラインに流れる直流電源に前記充電器側無線アンテナにより受信された無線信号を重畳する信号重畳部と、
を備える、充電器。
【請求項２】
前記接続部に接続された無線端末は、
無線信号を受信するための端末側無線アンテナと、
前記端末側無線アンテナにより受信された無線信号を処理する信号処理部と、
前記給電ラインを通じて伝送された無線信号と直流電源とを分離する信号分離部と、
前記信号分離部により分離された直流電源を充電池に供給する充電部と、
前記充電部により直流電源の供給が開始された場合に、前記信号処理部に入力される無線信号を前記信号分離部により分離された無線信号に切り替える入力切替部と、
を備える、請求項１に記載の充電器。
【請求項３】
前記接続部、前記給電ライン、前記充電器側無線アンテナ、及び前記信号重畳部は、ケーブルに含まれる、請求項２に記載の充電器。
【請求項４】
前記充電器側無線アンテナにより受信される無線信号は、映像データを含み、
前記無線端末は、
前記映像データに演算処理を施す演算処理部と、
前記演算処理部により演算処理が施された映像データを表示する表示部と、
をさらに備える、請求項３に記載の充電器。
【請求項５】
無線端末と接続するための充電器側接続部と、
前記充電器側接続部に接続された無線端末に直流電源を供給するための給電ラインと、
無線信号を受信するための充電器側無線アンテナと、
前記給電ラインに流れる直流電源に前記充電器側無線アンテナにより受信された無線信号を重畳する信号重畳部と、
を有する充電器に接続するための端末側接続部と、
無線信号を受信するための端末側無線アンテナと、
前記端末側無線アンテナにより受信された無線信号を処理する信号処理部と、
前記給電ラインを通じて伝送された無線信号と直流電源とを分離する信号分離部と、
前記信号分離部により分離された直流電源を充電池に供給する充電部と、
前記充電部により直流電源の供給が開始された場合に、前記信号処理部に入力される無線信号を前記信号分離部により分離された無線信号に切り替える入力切替部と、
を備える、無線端末。
【請求項６】
無線端末と接続するための接続部と、
前記接続部に接続された無線端末に直流電源を供給するための給電ラインと、
無線信号を受信するための無線アンテナと、
前記給電ラインに流れる直流電源に前記無線アンテナにより受信された無線信号を重畳する信号重畳部と、
を備える、情報処理装置。
【請求項７】
前記接続部、前記給電ライン、前記充電器側無線アンテナ、及び前記信号重畳部は、ケーブルに含まれ、
前記ケーブルは、データ信号を伝送するためのデータラインをさらに含む、請求項６に記載の情報処理装置。
【請求項８】
無線端末を接続するための接続部と、
充電器から供給された直流電源を前記接続部に接続された無線端末に供給するための給電ラインと、
無線信号を受信するための充電器側無線アンテナと、
前記給電ラインに流れる直流電源に前記充電器側無線アンテナにより受信された無線信号を重畳する信号重畳部と、
を含み、
前記接続部に接続された無線端末は、
無線信号を受信するための端末側無線アンテナと、
前記端末側無線アンテナにより受信された無線信号を処理する信号処理部と、
前記給電ラインを通じて伝送された無線信号と直流電源とを分離する信号分離部と、
前記信号分離部により分離された直流電源を充電池に供給する充電部と、
前記充電部により直流電源の供給が開始された場合に、前記信号処理部に入力される無線信号を前記信号分離部により分離された無線信号に切り替える入力切替部と、
を有する、ケーブル。
【請求項９】
無線端末と接続するための充電器側接続部と、前記充電器側接続部に接続された無線端末に直流電源を供給するための給電ラインと、無線信号を受信するための充電器側無線アンテナと、前記給電ラインに流れる直流電源に前記充電器側無線アンテナにより受信された無線信号を重畳する信号重畳部と、を有する充電器に、
無線信号を受信するための端末側無線アンテナと、前記端末側無線アンテナにより受信された無線信号を処理する信号処理部と、前記給電ラインを通じて伝送された無線信号と直流電源とを分離する信号分離部と、前記信号分離部により分離された直流電源を充電池に供給する充電部と、を有する無線端末が接続され、
前記充電部により直流電源の供給が開始された場合に、前記信号処理部に入力される無線信号を前記信号分離部により分離された無線信号に切り替える入力切替ステップを含む、アンテナダイバーシチ方法。
【発明の詳細な説明】
【技術分野】
【０００１】
本発明は、充電器、無線端末、情報処理装置、ケーブル、及びアンテナダイバーシチ方法に関する。
【背景技術】
【０００２】
携帯電話等、無線通信機能を有する電子機器（以下、無線端末）には、無線信号を送受信するための無線アンテナが設けられている。ある無線端末には、例えば、通話、データ通信、ワンセグ放送やＦＭラジオ放送の受信用に無線アンテナが設けられている。以前は、無線アンテナが無線端末の外部に突出するように設けられていることが多かった。しかし、最近では、無線端末のデザイン性を考慮して筐体の内部に無線アンテナが設けられることが多くなってきた。そのため、無線アンテナの長さが筐体のサイズに制約され、高い受信感度が得ることが難しくなってきた。そこで、受信感度の高い外部アンテナを接続し、外部アンテナを利用して受信感度を向上させる技術が考案された（例えば、下記の特許文献１を参照）。
【先行技術文献】
【特許文献】
【０００３】
【特許文献１】特開２００９−４９７３３
【発明の概要】
【発明が解決しようとする課題】
【０００４】
しかしながら、外部アンテナを利用するには、外部アンテナを接続するためのコネクタを無線端末に別途設ける必要があり、別途コネクタを設ける分だけコストが増大してしまう。また、コネクタの数が増えると、無線端末のデザインに課される制約が大きくなってしまう。そこで、本発明は、上記問題に鑑みてなされたものであり、本発明の目的とするところは、製造コストや無線端末のデザインに課せられる制約を増大させることなく、無線端末の受信感度を向上させることが可能な、新規かつ改良された充電器、無線端末、情報処理装置、ケーブル、及びアンテナダイバーシチ方法を提供することにある。
【課題を解決するための手段】
【０００５】
上記課題を解決するために、本発明のある観点によれば、無線端末と接続するための接続部と、前記接続部に接続された無線端末に直流電源を供給するための給電ラインと、無線信号を受信するための充電器側無線アンテナと、前記給電ラインに流れる直流電源に前記充電器側無線アンテナにより受信された無線信号を重畳する信号重畳部と、を備える、充電器が提供される。
【０００６】
また、前記接続部に接続された無線端末は、無線信号を受信するための端末側無線アンテナと、前記端末側無線アンテナにより受信された無線信号を処理する信号処理部と、前記給電ラインを通じて伝送された無線信号と直流電源とを分離する信号分離部と、前記信号分離部により分離された直流電源を充電池に供給する充電部と、前記充電部により直流電源の供給が開始された場合に、前記信号処理部に入力される無線信号を前記信号分離部により分離された無線信号に切り替える入力切替部と、を備えていてもよい。
【０００７】
また、前記接続部、前記給電ライン、前記充電器側無線アンテナ、及び前記信号重畳部は、ケーブルに含まれていてもよい。
【０００８】
また、前記充電器側無線アンテナにより受信される無線信号は、映像データを含んでいてもよい。そして、前記無線端末は、前記映像データに演算処理を施す演算処理部と、前記演算処理部により演算処理が施された映像データを表示する表示部と、をさらに備えていてもよい。
【０００９】
また、上記課題を解決するために、本発明の別の観点によれば、無線端末と接続するための充電器側接続部と、前記充電器側接続部に接続された無線端末に直流電源を供給するための給電ラインと、無線信号を受信するための充電器側無線アンテナと、前記給電ラインに流れる直流電源に前記充電器側無線アンテナにより受信された無線信号を重畳する信号重畳部と、を有する充電器に接続するための端末側接続部と、無線信号を受信するための端末側無線アンテナと、前記端末側無線アンテナにより受信された無線信号を処理する信号処理部と、前記給電ラインを通じて伝送された無線信号と直流電源とを分離する信号分離部と、前記信号分離部により分離された直流電源を充電池に供給する充電部と、前記充電部により直流電源の供給が開始された場合に、前記信号処理部に入力される無線信号を前記信号分離部により分離された無線信号に切り替える入力切替部と、を備える、無線端末が提供される。
【００１０】
また、上記課題を解決するために、本発明の別の観点によれば、無線端末と接続するための接続部と、前記接続部に接続された無線端末に直流電源を供給するための給電ラインと、無線信号を受信するための無線アンテナと、前記給電ラインに流れる直流電源に前記無線アンテナにより受信された無線信号を重畳する信号重畳部と、を備える、情報処理装置が提供される。
【００１１】
また、前記接続部、前記給電ライン、前記充電器側無線アンテナ、及び前記信号重畳部は、ケーブルに含まれていてもよい。そして、前記ケーブルは、データ信号を伝送するためのデータラインをさらに含んでいてもよい。
【００１２】
また、上記課題を解決するために、本発明の別の観点によれば、無線端末を接続するための接続部と、充電器から供給された直流電源を前記接続部に接続された無線端末に供給するための給電ラインと、無線信号を受信するための充電器側無線アンテナと、前記給電ラインに流れる直流電源に前記充電器側無線アンテナにより受信された無線信号を重畳する信号重畳部と、を含み、前記接続部に接続された無線端末は、無線信号を受信するための端末側無線アンテナと、前記端末側無線アンテナにより受信された無線信号を処理する信号処理部と、前記給電ラインを通じて伝送された無線信号と直流電源とを分離する信号分離部と、前記信号分離部により分離された直流電源を充電池に供給する充電部と、前記充電部により直流電源の供給が開始された場合に、前記信号処理部に入力される無線信号を前記信号分離部により分離された無線信号に切り替える入力切替部と、を有する、ケーブルが提供される。
【００１３】
また、上記課題を解決するために、本発明の別の観点によれば、無線端末と接続するための充電器側接続部と、前記充電器側接続部に接続された無線端末に直流電源を供給するための給電ラインと、無線信号を受信するための充電器側無線アンテナと、前記給電ラインに流れる直流電源に前記充電器側無線アンテナにより受信された無線信号を重畳する信号重畳部と、を有する充電器に、無線信号を受信するための端末側無線アンテナと、前記端末側無線アンテナにより受信された無線信号を処理する信号処理部と、前記給電ラインを通じて伝送された無線信号と直流電源とを分離する信号分離部と、前記信号分離部により分離された直流電源を充電池に供給する充電部と、を有する無線端末が接続され、前記充電部により直流電源の供給が開始された場合に、前記信号処理部に入力される無線信号を前記信号分離部により分離された無線信号に切り替える入力切替ステップを含む、アンテナダイバーシチ方法が提供される。
【発明の効果】
【００１４】
以上説明したように本発明によれば、製造コストや無線端末のデザインに課せられる制約を増大させることなく、無線端末の受信感度を向上させることが可能になる。
【図面の簡単な説明】
【００１５】
【図１】本発明の第１実施形態に係る充電器アンテナダイバーシチシステムの全体構成、及び、当該システムに含まれる携帯電話及び充電器の機能構成を示す説明図である。
【図２】本発明の第２実施形態に係る充電器アンテナダイバーシチシステムの全体構成、及び、当該システムに含まれる携帯電話、アンテナ機能付きケーブル、及び充電器の機能構成を示す説明図である。
【図３】本発明の第３実施形態に係る充電器アンテナダイバーシチシステムの全体構成、及び、当該システムに含まれる携帯電話、アンテナ機能付きケーブル、及びＰＣの機能構成を示す説明図である。
【図４】本発明の第４実施形態に係る充電器アンテナダイバーシチシステムの全体構成、及び、当該システムに含まれる携帯電話、アンテナ機能付きケーブル、及びＰＣの機能構成を示す説明図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
［説明の流れについて］
ここで、以下に記載する本発明の実施形態に関する説明の流れについて簡単に述べる。
【００１８】
まず、図１を参照しながら、本発明の第１実施形態に係るアンテナダイバーシチシステムの全体構成、及び、当該システムに含まれる携帯電話及び充電器の機能構成について説明する。次いで、図２を参照しながら、本発明の第２実施形態に係るアンテナダイバーシチシステムの全体構成、及び、当該システムに含まれる携帯電話、アンテナ機能付きケーブル、及び充電器の機能構成について説明する。
【００１９】
次いで、図３を参照しながら、本発明の第３実施形態に係るアンテナダイバーシチシステムの全体構成、及び、当該システムに含まれる携帯電話、アンテナ機能付きケーブル、及びＰＣの機能構成について説明する。次いで、図４を参照しながら、本発明の第４実施形態に係るアンテナダイバーシチシステムの全体構成、及び、当該システムに含まれる携帯電話、アンテナ機能付きケーブル、及びＰＣの機能構成について説明する。最後に、これら実施形態の技術的思想について纏め、当該技術的思想から得られる作用効果について簡単に説明する。
【００２０】
（説明項目）
１：第１実施形態（アンテナ機能付き充電器＋携帯電話）
２：第２実施形態（充電器＋アンテナ機能付きケーブル＋携帯電話）
３：第３実施形態（ＰＣ＋アンテナ機能付きケーブル＋携帯電話）
４：第４実施形態（ＰＣ＋ケーブル＋携帯電話）
５：まとめ
【００２１】
＜１：第１実施形態（アンテナ機能付き充電器＋携帯電話）＞
本発明の第１実施形態について説明する。本実施形態は、充電器に設けられたアンテナを利用してアンテナダイバーシチを実現する方法に関する。
【００２２】
以下、図１を参照しながら、本実施形態に係るアンテナダイバーシチシステムの全体構成、及び、当該システムに含まれる携帯電話１００及びアンテナ機能付き充電器１５０の機能構成について説明する。図１は、本実施形態に係るアンテナダイバーシチシステムの全体構成例、及び、当該システムに含まれる携帯電話１００及びアンテナ機能付き充電器１５０の機能構成例を示す説明図である。
【００２３】
なお、ここでは携帯電話１００を例に挙げて説明するが、本実施形態に係る技術の適用範囲はこれに限定されない。例えば、図１に例示する携帯電話１００に代えて無線通信機能を有する任意の携帯端末（以下、無線端末）に適用することができる。このような無線端末の種類としては、ＰＣ等の情報処理装置、携帯情報端末、携帯ゲーム機を例として挙げることができる。もちろん、これら以外の機器であっても、無線通信機能を有する機器については適用可能性がある。但し、以下では携帯電話１００の例について説明する。
【００２４】
（システム構成）
図１に示すように、本実施形態に係るアンテナダイバーシチシステムは、携帯電話１００と、アンテナ機能付き充電器１５０とを含む。このシステムは、携帯電話１００がアンテナ機能付き充電器１５０に接続された際に、アンテナ機能付き充電器１５０のアンテナ１５２を利用してアンテナダイバーシチを実現するように設計されている。
【００２５】
携帯電話１００には、通話音声信号やデータ信号等の無線信号を送受信するための無線通信機能が搭載されている。また、携帯電話１００は、テレビジョン映像・音声信号を受信する機能を搭載していてもよい。なお、テレビジョン映像・音声信号も無線信号の一種である。また、上記の通話音声信号、データ信号、テレビジョン映像・音声信号は、それぞれ異なるアンテナで受信されるように設計されていてもよい。もちろん、携帯電話１００は、上記の通話音声信号、データ信号、テレビジョン映像・音声信号以外の無線信号を送受信できるように設計されていてもよい。
【００２６】
アンテナ機能付き充電器１５０には、上記の通話音声信号、データ信号、テレビジョン映像・音声信号等の無線信号を受信するためのアンテナ１５２が設けられている。また、アンテナ機能付き充電器１５０には、携帯電話１００に電源を供給するための給電ラインが設けられている。充電のために携帯電話１００がアンテナ機能付き充電器１５０に接続されると、給電ラインを通じてアンテナ機能付き充電器１５０から携帯電話１００に電源が供給される。また、上記の給電ラインを通じて、アンテナ１５２により受信された無線信号が携帯電話１００に伝送される。
【００２７】
アンテナ機能付き充電器１５０に接続されると、携帯電話１００は、アンテナ機能付き充電器１５０に設けられたアンテナ１５２を利用できるようになる。そこで、アンテナ機能付き充電器１５０に接続された携帯電話１００は、アンテナ１０２、１５２のうち、伝送特性の良いアンテナを選択して利用する。このように、伝送特性の良いアンテナを選択的に利用することにより、アンテナ１０２、１５２によるアンテナダイバーシチが実現される。但し、多くの場合にはアンテナ１５２の方が高感度のため、アンテナ機能付き充電器１５０に携帯電話１００が接続されると、アンテナ１５２が主に利用される。
【００２８】
ここで、アンテナ機能付き充電器１５０のアンテナ１５２を利用してアンテナダイバーシチを実現することの技術的意義について説明する。アンテナダイバーシチの技術は、無線通信分野において広く利用されている。例えば、無線端末に複数のアンテナを搭載し、各アンテナの受信感度に応じてアンテナを切り替える技術が広く実用化されている。そして、アンテナダイバーシチによる伝送特性の向上効果についても広く認められている。しかし、無線端末に複数のアンテナを設置し、アンテナダイバーシチを実現するための機構を設けたとしても、各アンテナの受信感度が低いのでは効果が薄い。
【００２９】
一般に、最適な特性が得られるアンテナの長さは、受信する電波の半波長程度が望ましいとされる。例えば、日本で携帯電話に利用される電波の周波数は１．８ＧＨｚ周辺である。この電波を受信するために最適なアンテナの長さは、下記の式（１）により約８．５ｃｍとなる。しかし、年々小型化が進む携帯電話の構造的な制限や携帯電話のデザイン性等を考慮した場合、８．５ｃｍのアンテナを筐体内部に設置することは困難である。こうした理由から、現状では、最適な特性を得ることが難しい短いアンテナが設置されている。その結果、十分な長さのアンテナであれば受信可能な電波を受信できないことがある。
【００３０】
波長［ｍ］／２＝電波の速度［ｍ／ｓ］／周波数［Ｈｚ］／２
＝３×１０８［ｍ／ｓ］／１．８×１０６［Ｈｚ］／２
≒８．５［ｃｍ］
…（１）
【００３１】
上記のような理由による受信不良を解消する方法としては、最適な長さの外部アンテナを携帯電話に接続して利用する方法が考えられる。外部アンテナを接続するためには、外部アンテナを接続するためのコネクタを携帯電話に別途設ける必要がある。このようなコネクタを設けると、コネクタを新たに設ける分だけコストが増大してしまう。また、コネクタの数が増えることで携帯電話のデザインに課せられる制約が増大してしまう。そこで、本件発明者は、携帯電話に必ず設けられている充電コネクタを利用して外部アンテナを接続する仕組みを考案した。この仕組みを利用することにより、外部アンテナを接続するための新たなコネクタを携帯電話に設けずに済む。
【００３２】
携帯電話に電源を供給する給電機構には、いくつかの種類が存在する。本実施形態のシステムは、充電器（アンテナ機能付き充電器１５０）に外部アンテナ（アンテナ１５２）を設け、アンテナ機能付き充電器１５０と携帯電話１００とを接続する給電ラインを通じてアンテナ１５２を接続する方法を採用している。この方法を採用することにより、携帯電話１００のコスト増大及びデザインの制約を回避することができる。
【００３３】
以上、本実施形態に係るアンテナダイバーシチシステムのシステム構成について説明した。以下では、上記の仕組みを実現することが可能な携帯電話１００、及びアンテナ機能付き充電器１５０の詳細な機能構成について説明する。
【００３４】
図１に示すように、携帯電話１００は、主に、アンテナ１０２と、スイッチ１０４と、ＲＦ機能部１０６と、ベースバンド機能部１０８と、充電回路１１０と、充電池１１２と、チョークコイル１１４と、充電コネクタ１１６と、複数のコンデンサＣと、を有する。なお、図１の例では、携帯電話１００にアンテナ１０２が１つしか記載されていないが、携帯電話１００には複数のアンテナ１０２が設けられていてもよい。また、携帯電話１００の各構成要素は、充電池１１２から電源の供給を受けて駆動する。
【００３５】
また、アンテナ機能付き充電器１５０は、主に、アンテナ１５２と、チョークコイル１５４と、電源１５６と、充電コネクタ１５８と、複数のコンデンサＣと、を有する。なお、図１の例では、アンテナ機能付き充電器１５０にアンテナ１５２が１つしか記載されていないが、アンテナ機能付き充電器１５０には複数のアンテナ１５２が設けられていてもよい。さらに、アンテナ１５２には、携帯電話１００のアンテナ１０２よりも利得が大きいものが用いられる。
【００３６】
（非接続状態）
まず、携帯電話１００がアンテナ機能付き充電器１５０に接続されていない状態における送受信の流れについて説明する。この場合、スイッチ１０４は、アンテナ１０２とＲＦ機能部１０６とを接続する。
【００３７】
（受信の流れ）
アンテナ１０２によりＲＦ（Ｒａｄｉｏ  Ｆｒｅｑｕｅｎｃｙ）信号が受信されると、受信されたＲＦ信号は、スイッチ１０４を介してＲＦ機能部１０６に入力される。ＲＦ信号が入力されると、ＲＦ機能部１０６は、入力されたＲＦ信号に復調や周波数変換等の処理を施してベースバンド信号を生成する。そして、ＲＦ機能部１０６により生成されたベースバンド信号は、ベースバンド機能部１０８に入力される。ベースバンド信号が入力されると、ベースバンド機能部１０８は、入力されたベースバンド信号に復号や誤り訂正等の処理を施して受信データを復元する。
【００３８】
（送信の流れ）
また、ベースバンド機能部１０８は、送信データに符号化等の処理を施してベースバンド信号を生成する。ベースバンド機能部１０８により生成されたベースバンド信号は、ＲＦ機能部１０６に入力される。ベースバンド機能部１０８からベースバンド信号が入力されると、ＲＦ機能部１０６は、入力されたベースバンド信号に周波数変換や変調等の処理を施してＲＦ信号を生成する。そして、ＲＦ機能部１０６は、スイッチ１０４を介して接続されたアンテナ１０２を用いてＲＦ信号を送信する。
【００３９】
（接続状態）
次に、携帯電話１００がアンテナ機能付き充電器１５０に接続された状態の検知方法、スイッチ１０４の制御方法、及び接続状態における送受信の流れについて説明する。
【００４０】
携帯電話１００とアンテナ機能付き充電器１５０とは、充電コネクタ１１６、１５８を介して接続される。充電コネクタ１１６、１５８は、充電時にアンテナ機能付き充電器１５０から携帯電話１００に直流電源を供給するためのコネクタである。充電コネクタ１１６、１５８が接続されると、電源１５６から電源が出力され、チョークコイル１５４に入力される。チョークコイル１５４に入力された電源からは、高周波成分がカットされる。
【００４１】
チョークコイル１５４により高周波成分がカットされた電源は、充電コネクタ１５８に入力される。但し、充電コネクタ１５８の前段で、アンテナ１５２により受信され、コンデンサＣにより直流成分がカットされたＲＦ信号が電源に重畳される。つまり、充電コネクタ１５８には、直流電源にＲＦ信号が重畳された重畳信号が入力される。充電コネクタ１５８に入力された重畳信号は、充電コネクタ１５８に接続された充電コネクタ１１６に入力される。
【００４２】
充電コネクタ１１６に入力された重畳信号は、コンデンサＣを通じてスイッチ１０４に入力される。但し、コンデンサＣにより重畳信号から直流成分がカットされるため、スイッチ１０４には高周波成分（ＲＦ信号）だけが入力される。また、充電コネクタ１１６に入力された重畳信号は、チョークコイル１１４を通じて充電回路１１０に入力される。但し、チョークコイル１１４により重畳信号から高周波成分がカットされるため、充電回路１１０には直流成分（直流電源）だけが入力される。
【００４３】
直流電源が入力されると、充電回路１１０は、充電池１１２に直流電源を供給して充電を開始する。また、充電回路１１０は、スイッチ１０４に対し、ＲＦ機能部１０６の接続先を充電コネクタ１１６に切り替えるように制御する。この制御を受けてスイッチ１０４は、ＲＦ機能部１０６と充電コネクタ１１６とを接続する。ＲＦ機能部１０６と充電コネクタ１１６とが接続されると、充電コネクタ１１６からコンデンサＣを通じてスイッチ１０４に入力された重畳信号の高周波成分（ＲＦ信号）がＲＦ機能部１０６に入力される。
【００４４】
ＲＦ信号が入力されると、ＲＦ機能部１０６は、入力されたＲＦ信号に復調や周波数変換等の処理を施してベースバンド信号を生成する。そして、ＲＦ機能部１０６により生成されたベースバンド信号は、ベースバンド機能部１０８に入力される。ベースバンド信号が入力されると、ベースバンド機能部１０８は、入力されたベースバンド信号に復号や誤り訂正等の処理を施して受信データを復元する。
【００４５】
このように、アンテナ機能付き充電器１５０と携帯電話１００とが接続された状態は、充電回路１１０に直流電源が入力されることにより検知される。また、接続状態が検知されると、スイッチ１０４が制御され、ＲＦ機能部１０６の接続先が切り替えられる。そして、ＲＦ機能部１０６には、アンテナ機能付き充電器１５０のアンテナ１５２により受信されたＲＦ信号が入力される。
【００４６】
送信時には、ベースバンド機能部１０８により生成されたベースバンド信号が、ＲＦ機能部１０６に入力される。ベースバンド機能部１０８からベースバンド信号が入力されると、ＲＦ機能部１０６は、入力されたベースバンド信号に周波数変換や変調等の処理を施してＲＦ信号を生成する。アンテナ機能付き充電器１５０と携帯電話１００とが接続されている場合、ＲＦ機能部１０６により生成されたＲＦ信号は、スイッチ１０４を経由し、コンデンサＣを通じて充電コネクタ１１６に入力される。このとき、ＲＦ信号は、充電コネクタ１１６の前段で直流電源に重畳される。
【００４７】
充電コネクタ１１６に入力されたＲＦ信号は、直流電源に重畳された状態で充電コネクタ１１６に接続された充電コネクタ１５８に入力される。そして、充電コネクタ１５８に入力されたＲＦ信号は、コンデンサＣを通じてアンテナ１５２に入力され、アンテナ１５２により送信される。なお、コンデンサＣの前段でＲＦ信号は直流成分に重畳されているが、コンデンサＣにより直流成分がカットされるため、アンテナ１５２にはＲＦ信号だけが入力される。また、直流電源に重畳した状態でＲＦ信号が電源１５６に向けて伝達されるが、このＲＦ信号は、電源１５６の前段に設けられたチョークコイル１５４によりカットされる。
【００４８】
このように、本実施形態に係るアンテナダイバーシチシステムは、アンテナ機能付き充電器１５０と携帯電話１００とが接続された場合に、ＲＦ信号の送受信に用いるアンテナ１０２、１５２を切り替える仕組みを有する。この仕組みにより、アンテナダイバーシチの効果が得られる。また、本実施形態に係るアンテナダイバーシチシステムは、アンテナ機能付き充電器１５０と携帯電話１００とが接続された状態でＲＦ信号を送受信する際、ＲＦ信号を直流電源に重畳して伝送する仕組みを有する。この仕組みにより、充電コネクタ１１６、１５８を介してＲＦ信号を伝送することが可能になる。その結果、ＲＦ信号を伝送するためのコネクタを新たに設けずに済み、コスト低減やデザイン性の向上に寄与する。
【００４９】
以上、本発明の第１実施形態について説明した。なお、図１には明示していないが、携帯電話１００には、例えば、データを処理するための演算処理部や画像を表示するための表示部が設けられている。さらに、携帯電話１００には、ユーザが入力操作を行うための操作部や着信を知らせるためのＬＥＤ等が設けられている。
【００５０】
＜２：第２実施形態（充電器＋アンテナ機能付きケーブル＋携帯電話）＞
次に、本発明の第２実施形態について説明する。上記の第１実施形態は、アンテナ機能付き充電器１５０のアンテナ１５２を利用してアンテナダイバーシチを実現するものであった。本実施形態は、アンテナ機能付きケーブル２４０のアンテナ２４２を利用してアンテナダイバーシチを実現するものである。なお、上記の第１実施形態と実質的に同じ構成要素については詳細な説明を省略する。
【００５１】
以下、図２を参照しながら、本実施形態に係るアンテナダイバーシチシステムの全体構成、及び、当該システムに含まれる携帯電話２００、アンテナ機能付きケーブル２４０、及び充電器２６０の機能構成について説明する。図２は、本実施形態に係るアンテナダイバーシチシステムの全体構成例、及び、当該システムに含まれる携帯電話２００、アンテナ機能付きケーブル２４０、及び充電器２６０の機能構成例を示す説明図である。
【００５２】
図２に示すように、携帯電話２００は、主に、アンテナ２０２と、スイッチ２０４と、ＲＦ機能部２０６と、ベースバンド機能部２０８と、充電回路２１０と、充電池２１２と、チョークコイル２１４と、充電コネクタ２１６と、複数のコンデンサＣと、を有する。なお、図２の例では、携帯電話２００にアンテナ２０２が１つしか記載されていないが、携帯電話２００には複数のアンテナ２０２が設けられていてもよい。また、携帯電話２００の各構成要素は、充電池２１２から電源の供給を受けて駆動する。
【００５３】
また、アンテナ機能付きケーブル２４０は、主に、アンテナ２４２と、チョークコイル２４４と、複数のコンデンサＣと、を有する。なお、図２の例では、アンテナ機能付きケーブル２４０にアンテナ２４２が１つしか記載されていないが、アンテナ機能付きケーブル２４０には複数のアンテナ２４２が設けられていてもよい。さらに、充電器２６０は、主に、電源２６２と、充電コネクタ２６４と、を有する。また、アンテナ２４２には、携帯電話２００のアンテナ２０２よりも利得が大きいものが用いられる。
【００５４】
（非接続状態）
まず、携帯電話２００、アンテナ機能付きケーブル２４０、充電器２６０が接続されていない状態における送受信の流れについて説明する。この場合、スイッチ２０４は、アンテナ２０２とＲＦ機能部２０６とを接続する。
【００５５】
（受信の流れ）
アンテナ２０２によりＲＦ信号が受信されると、受信されたＲＦ信号は、スイッチ２０４を介してＲＦ機能部２０６に入力される。ＲＦ信号が入力されると、ＲＦ機能部２０６は、入力されたＲＦ信号に復調や周波数変換等の処理を施してベースバンド信号を生成する。そして、ＲＦ機能部２０６により生成されたベースバンド信号は、ベースバンド機能部２０８に入力される。ベースバンド信号が入力されると、ベースバンド機能部２０８は、入力されたベースバンド信号に復号や誤り訂正等の処理を施して受信データを復元する。
【００５６】
（送信の流れ）
また、ベースバンド機能部２０８は、送信データに符号化等の処理を施してベースバンド信号を生成する。ベースバンド機能部２０８により生成されたベースバンド信号は、ＲＦ機能部２０６に入力される。ベースバンド機能部２０８からベースバンド信号が入力されると、ＲＦ機能部２０６は、入力されたベースバンド信号に周波数変換や変調等の処理を施してＲＦ信号を生成する。そして、ＲＦ機能部２０６は、スイッチ２０４を介して接続されたアンテナ２０２を用いてＲＦ信号を送信する。
【００５７】
このように、携帯電話２００、アンテナ機能付きケーブル２４０、充電器２６０が接続されていない状態においては、携帯電話２００が単独でＲＦ信号の送受信処理を行うため、上記の第１実施形態の構成と実質的に同じになる。
【００５８】
（接続状態）
次に、携帯電話２００がアンテナ機能付きケーブル２４０を介して充電器２６０に接続された状態の検知方法、スイッチ２０４の制御方法、及び接続状態における送受信の流れについて説明する。
【００５９】
携帯電話２００とアンテナ機能付きケーブル２４０とは、充電コネクタ２１６を介して接続される。また、アンテナ機能付きケーブル２４０と充電器２６０とは、充電コネクタ２６４を介して接続される。充電コネクタ２１６、２６４は、充電時に充電器２６０から携帯電話２００にアンテナ機能付きケーブル２４０を介して直流電源を供給するためのコネクタである。アンテナ機能付きケーブル２４０を介して充電コネクタ２１６、２６４が接続されると、電源２６２から電源が出力され、充電コネクタ２６４に入力される。
【００６０】
そして、充電コネクタ２６４に入力された電源は、アンテナ機能付きケーブル２４０のチョークコイル２４４に入力される。チョークコイル２４４に入力された電源からは、高周波成分がカットされる。チョークコイル２４４により高周波成分がカットされた電源は、携帯電話２００の充電コネクタ２１６に入力される。但し、充電コネクタ２１６の前段で、アンテナ機能付きケーブル２４０のアンテナ２４２により受信され、コンデンサＣにより直流成分がカットされたＲＦ信号が電源に重畳される。つまり、充電コネクタ２１６には、直流電源にＲＦ信号が重畳された重畳信号が入力される。
【００６１】
充電コネクタ２１６に入力された重畳信号は、コンデンサＣを通じてスイッチ２０４に入力される。但し、コンデンサＣにより重畳信号から直流成分がカットされるため、スイッチ２０４には高周波成分（ＲＦ信号）だけが入力される。また、充電コネクタ２１６に入力された重畳信号は、チョークコイル２１４を通じて充電回路２１０に入力される。但し、チョークコイル２１４により重畳信号から高周波成分がカットされるため、充電回路２１０には直流成分（直流電源）だけが入力される。
【００６２】
直流電源が入力されると、充電回路２１０は、充電池２１２に直流電源を供給して充電を開始する。また、充電回路２１０は、スイッチ２０４に対し、ＲＦ機能部２０６の接続先を充電コネクタ２１６に切り替えるように制御する。この制御を受けてスイッチ２０４は、ＲＦ機能部２０６と充電コネクタ２１６とを接続する。ＲＦ機能部２０６と充電コネクタ２１６とが接続されると、充電コネクタ２１６からコンデンサＣを通じてスイッチ２０４に入力された重畳信号の高周波成分（ＲＦ信号）がＲＦ機能部２０６に入力される。
【００６３】
ＲＦ信号が入力されると、ＲＦ機能部２０６は、入力されたＲＦ信号に復調や周波数変換等の処理を施してベースバンド信号を生成する。そして、ＲＦ機能部２０６により生成されたベースバンド信号は、ベースバンド機能部２０８に入力される。ベースバンド信号が入力されると、ベースバンド機能部２０８は、入力されたベースバンド信号に復号や誤り訂正等の処理を施して受信データを復元する。
【００６４】
このように、充電器２６０、アンテナ機能付きケーブル２４０、携帯電話２００が接続された状態は、充電回路２１０に直流電源が入力されることにより検知される。また、接続状態が検知されると、スイッチ２０４が制御され、ＲＦ機能部２０６の接続先が切り替えられる。そして、ＲＦ機能部２０６には、アンテナ機能付きケーブル２４０のアンテナ２４２により受信されたＲＦ信号が入力される。
【００６５】
送信時には、ベースバンド機能部２０８により生成されたベースバンド信号が、ＲＦ機能部２０６に入力される。ベースバンド機能部２０８からベースバンド信号が入力されると、ＲＦ機能部２０６は、入力されたベースバンド信号に周波数変換や変調等の処理を施してＲＦ信号を生成する。充電器２６０、アンテナ機能付きケーブル２４０、携帯電話２００が接続されている場合、ＲＦ機能部２０６により生成されたＲＦ信号は、スイッチ２０４を経由し、コンデンサＣを通じて充電コネクタ２１６に入力される。このとき、ＲＦ信号は、充電コネクタ２１６の前段で直流電源に重畳される。
【００６６】
充電コネクタ２１６に入力されたＲＦ信号は、直流電源に重畳された状態で充電コネクタ２１６に接続されたアンテナ機能付きケーブル２４０に入力される。そして、アンテナ機能付きケーブル２４０に入力されたＲＦ信号は、コンデンサＣを通じてアンテナ２４２に入力され、アンテナ２４２により送信される。なお、コンデンサＣの前段でＲＦ信号は直流成分に重畳されて伝送されるが、コンデンサＣにより直流成分がカットされるため、アンテナ２４２にはＲＦ信号だけが入力される。また、直流電源に重畳した状態でＲＦ信号が充電コネクタ２６４、電源２６２に向けて伝達されるが、このＲＦ信号は、アンテナ機能付きケーブル２４０のチョークコイル２４４によりカットされる。
【００６７】
このように、本実施形態に係るアンテナダイバーシチシステムは、充電器２６０、アンテナ機能付きケーブル２４０、携帯電話２００が接続された場合に、ＲＦ信号の送受信に用いるアンテナ２０２、２４２を切り替える仕組みを有する。この仕組みにより、アンテナダイバーシチの効果が得られる。また、本実施形態に係るアンテナダイバーシチシステムは、充電器２６０、アンテナ機能付きケーブル２４０、携帯電話２００が接続された状態でＲＦ信号を送受信する際、ＲＦ信号を直流電源に重畳して伝送する仕組みを有する。この仕組みにより、充電コネクタ２１６、アンテナ機能付きケーブル２４０を介してＲＦ信号を伝送することが可能になる。その結果、ＲＦ信号を伝送するためのコネクタを新たに設けずに済み、コスト低減やデザイン性の向上に寄与する。
【００６８】
以上、本発明の第２実施形態について説明した。
【００６９】
＜３：第３実施形態（ＰＣ＋アンテナ機能付きケーブル＋携帯電話）＞
次に、本発明の第３実施形態について説明する。上記の第２実施形態は、アンテナ機能付きケーブル２４０のアンテナ２４２を利用してアンテナダイバーシチを実現するものであった。本実施形態は、アンテナ機能付きＵＳＢケーブル３４０のアンテナ３４２を利用してアンテナダイバーシチを実現するものである。なお、上記の第２実施形態と実質的に同じ構成要素については詳細な説明を省略する。
【００７０】
以下、図３を参照しながら、本実施形態に係るアンテナダイバーシチシステムの全体構成、及び、当該システムに含まれる携帯電話３００、アンテナ機能付きＵＳＢケーブル３４０、及びＰＣ３６０の機能構成について説明する。図３は、本実施形態に係るアンテナダイバーシチシステムの全体構成例、及び、当該システムに含まれる携帯電話３００、アンテナ機能付きＵＳＢケーブル３４０、及びＰＣ３６０の機能構成例を示す説明図である。但し、ＵＳＢは、Ｕｎｉｖｅｒｓａｌ  Ｓｅｒｉａｌ  Ｂｕｓの略である。
【００７１】
図３に示すように、携帯電話３００は、主に、アンテナ３０２と、スイッチ３０４と、ＲＦ機能部３０６と、ベースバンド機能部３０８と、充電回路３１０と、充電池３１２と、ＵＳＢトランシーバ３１４と、チョークコイル３１６と、ＵＳＢコネクタ３１８と、送受信ドライバ３２０と、複数のコンデンサＣと、を有する。なお、図３の例では、携帯電話３００にアンテナ３０２が１つしか記載されていないが、携帯電話３００には複数のアンテナ３０２が設けられていてもよい。また、携帯電話３００の各構成要素は、充電池３１２から電源の供給を受けて駆動する。
【００７２】
また、アンテナ機能付きＵＳＢケーブル３４０は、主に、アンテナ３４２と、チョークコイル３４４と、複数のコンデンサＣと、を有する。なお、図３の例では、アンテナ機能付きＵＳＢケーブル３４０にアンテナ３４２が１つしか記載されていないが、アンテナ機能付きＵＳＢケーブル３４０には複数のアンテナ３４２が設けられていてもよい。また、ＰＣ３６０は、主に、ＲＯＭ３６２と、ＲＡＭ３６４と、外部Ｉ／Ｆ３６６と、ＣＰＵ３６８と、ＰＣ電源３７０と、ＵＳＢトランシーバ３７２と、送受信ドライバ３７４と、ＵＳＢコネクタ３７６と、を有する。
【００７３】
但し、上記のＲＯＭは、Ｒｅａｄ  Ｏｎｌｙ  Ｍｅｍｏｒｙの略である。また、上記のＲＡＭは、Ｒａｎｄｏｍ  Ａｃｃｅｓｓ  Ｍｅｍｏｒｙの略である。さらに、上記のＩ／Ｆは、Ｉｎｔｅｒｆａｃｅを意味する。そして、上記のＣＰＵは、Ｃｅｎｔｒａｌ  Ｐｒｏｃｅｓｓｉｎｇ  Ｕｎｉｔの略である。
【００７４】
（非接続状態）
まず、携帯電話３００、アンテナ機能付きＵＳＢケーブル３４０、ＰＣ３６０が接続されていない状態における送受信の流れについて説明する。この場合、スイッチ３０４は、アンテナ３０２とＲＦ機能部３０６とを接続する。
【００７５】
（受信の流れ）
アンテナ３０２によりＲＦ信号が受信されると、受信されたＲＦ信号は、スイッチ３０４を介してＲＦ機能部３０６に入力される。ＲＦ信号が入力されると、ＲＦ機能部３０６は、入力されたＲＦ信号に復調や周波数変換等の処理を施してベースバンド信号を生成する。そして、ＲＦ機能部３０６により生成されたベースバンド信号は、ベースバンド機能部３０８に入力される。ベースバンド信号が入力されると、ベースバンド機能部３０８は、入力されたベースバンド信号に復号や誤り訂正等の処理を施して受信データを復元する。
【００７６】
（送信の流れ）
また、ベースバンド機能部３０８は、送信データに符号化等の処理を施してベースバンド信号を生成する。ベースバンド機能部３０８により生成されたベースバンド信号は、ＲＦ機能部３０６に入力される。ベースバンド機能部３０８からベースバンド信号が入力されると、ＲＦ機能部３０６は、入力されたベースバンド信号に周波数変換や変調等の処理を施してＲＦ信号を生成する。そして、ＲＦ機能部３０６は、スイッチ３０４を介して接続されたアンテナ３０２を用いてＲＦ信号を送信する。
【００７７】
このように、携帯電話３００、アンテナ機能付きＵＳＢケーブル３４０、ＰＣ３６０が接続されていない状態においては、携帯電話３００が単独でＲＦ信号の送受信処理を行うため、上記の第１実施形態の構成と実質的に同じになる。
【００７８】
（接続状態）
次に、携帯電話３００がアンテナ機能付きＵＳＢケーブル３４０を介してＰＣ３６０に接続された状態の検知方法、スイッチ３０４の制御方法、及び接続状態における送受信の流れについて説明する。
【００７９】
携帯電話３００とアンテナ機能付きＵＳＢケーブル３４０とは、ＵＳＢコネクタ３１８を介して接続される。また、アンテナ機能付きＵＳＢケーブル３４０とＰＣ３６０とは、ＵＳＢコネクタ３７６を介して接続される。ＵＳＢコネクタ３１８、３７６は、ＰＣ３６０から携帯電話３００にアンテナ機能付きＵＳＢケーブル３４０を介して直流電源（５Ｖ）を供給すると共に、データを伝送するためのコネクタである。アンテナ機能付きＵＳＢケーブル３４０を介してＵＳＢコネクタ３１８、３７６が接続されると、ＰＣ電源３７０から電源が出力され、ＵＳＢコネクタ３７６に入力される。
【００８０】
そして、ＵＳＢコネクタ３７６に入力された電源は、アンテナ機能付きＵＳＢケーブル３４０のチョークコイル３４４に入力される。チョークコイル３４４に入力された電源からは、高周波成分がカットされる。チョークコイル３４４により高周波成分がカットされた電源は、携帯電話３００のＵＳＢコネクタ３１８に入力される。但し、ＵＳＢコネクタ３１８の前段で、アンテナ機能付きＵＳＢケーブル３４０のアンテナ３４２により受信され、コンデンサＣにより直流成分がカットされたＲＦ信号が電源に重畳される。つまり、ＵＳＢコネクタ３１８には、直流電源にＲＦ信号が重畳された重畳信号が入力される。
【００８１】
ＵＳＢコネクタ３１８に入力された重畳信号は、コンデンサＣを通じてスイッチ３０４に入力される。但し、コンデンサＣにより重畳信号から直流成分がカットされるため、スイッチ３０４には高周波成分（ＲＦ信号）だけが入力される。また、ＵＳＢコネクタ３１８に入力された重畳信号は、チョークコイル３１６を通じて充電回路３１０に入力される。但し、チョークコイル３１６により重畳信号から高周波成分がカットされるため、充電回路３１０には直流成分（直流電源）だけが入力される。
【００８２】
直流電源が入力されると、充電回路３１０は、充電池３１２に直流電源を供給して充電を開始する。また、充電回路３１０は、スイッチ３０４に対し、ＲＦ機能部３０６の接続先をＵＳＢコネクタ３１８に切り替えるように制御する。この制御を受けてスイッチ３０４は、ＲＦ機能部３０６とＵＳＢコネクタ３１８とを接続する。ＲＦ機能部３０６とＵＳＢコネクタ３１８とが接続されると、ＵＳＢコネクタ３１８からコンデンサＣを通じてスイッチ３０４に入力された重畳信号の高周波成分（ＲＦ信号）がＲＦ機能部３０６に入力される。
【００８３】
ＲＦ信号が入力されると、ＲＦ機能部３０６は、入力されたＲＦ信号に復調や周波数変換等の処理を施してベースバンド信号を生成する。そして、ＲＦ機能部３０６により生成されたベースバンド信号は、ベースバンド機能部３０８に入力される。ベースバンド信号が入力されると、ベースバンド機能部３０８は、入力されたベースバンド信号に復号や誤り訂正等の処理を施して受信データを復元する。
【００８４】
このように、ＰＣ３６０、アンテナ機能付きＵＳＢケーブル３４０、携帯電話３００が接続された状態は、充電回路３１０に直流電源が入力されることにより検知される。また、接続状態が検知されると、スイッチ３０４が制御され、ＲＦ機能部３０６の接続先が切り替えられる。そして、ＲＦ機能部３０６には、アンテナ機能付きＵＳＢケーブル３４０のアンテナ３４２により受信されたＲＦ信号が入力される。
【００８５】
送信時には、ベースバンド機能部３０８により生成されたベースバンド信号が、ＲＦ機能部３０６に入力される。ベースバンド機能部３０８からベースバンド信号が入力されると、ＲＦ機能部３０６は、入力されたベースバンド信号に周波数変換や変調等の処理を施してＲＦ信号を生成する。ＰＣ３６０、アンテナ機能付きＵＳＢケーブル３４０、携帯電話３００が接続されている場合、ＲＦ機能部３０６により生成されたＲＦ信号は、スイッチ３０４を経由し、コンデンサＣを通じてＵＳＢコネクタ３１８に入力される。このとき、ＲＦ信号は、ＵＳＢコネクタ３１８の前段で直流電源に重畳される。
【００８６】
ＵＳＢコネクタ３１８に入力されたＲＦ信号は、直流電源に重畳された状態でＵＳＢコネクタ３１８に接続されたアンテナ機能付きＵＳＢケーブル３４０に入力される。そして、アンテナ機能付きＵＳＢケーブル３４０に入力されたＲＦ信号は、コンデンサＣを通じてアンテナ３４２に入力され、アンテナ３４２により送信される。なお、コンデンサＣの前段でＲＦ信号は直流成分に重畳されて伝送されるが、コンデンサＣにより直流成分がカットされるため、アンテナ３４２にはＲＦ信号だけが入力される。また、直流電源に重畳した状態でＲＦ信号がＵＳＢコネクタ３７６、ＰＣ電源３７０に向けて伝達されるが、このＲＦ信号は、アンテナ機能付きＵＳＢケーブル３４０のチョークコイル３４４によりカットされる。
【００８７】
このように、本実施形態に係るアンテナダイバーシチシステムは、ＰＣ３６０、アンテナ機能付きＵＳＢケーブル３４０、携帯電話３００が接続された場合に、ＲＦ信号の送受信に用いるアンテナ３０２、３４２を切り替える仕組みを有する。この仕組みにより、アンテナダイバーシチの効果が得られる。また、本実施形態に係るアンテナダイバーシチシステムは、ＰＣ３６０、アンテナ機能付きＵＳＢケーブル３４０、携帯電話３００が接続された状態でＲＦ信号を送受信する際、ＲＦ信号を直流電源に重畳して伝送する仕組みを有する。この仕組みにより、ＵＳＢコネクタ３１８、アンテナ機能付きＵＳＢケーブル３４０を介してＲＦ信号を伝送することが可能になる。その結果、ＲＦ信号を伝送するためのコネクタを新たに設けずに済み、コスト低減やデザイン性の向上に寄与する。
【００８８】
さて、本実施形態に係るアンテナダイバーシチシステムには、上記の第１及び第２実施形態の構成とは異なり、ＰＣ３６０と携帯電話３００との間でデータの伝送を実現するための構成要素が含まれている。また、ＰＣ３６０は、上記の第１実施形態に係るアンテナ機能付き充電器１５０、上記の第２実施形態に係る充電器２６０とは異なり、演算処理機構を有している。以下、これらの構成要素について説明する。なお、図３には記載していないが、例えば、ＰＣ３６０には画像を表示するための表示部等を有していてもよい。
【００８９】
アンテナ機能付きＵＳＢケーブル３４０には、電源線、グランド線の他に、データ線が配線されている。このデータ線は、差動伝送方式でデータを伝送するための信号線である。そのため、アンテナ機能付きＵＳＢケーブル３４０には、プラスの極性を持つデータ線（＋）、及びマイナスの極性を持つデータ線（−）が配線されている。そして、ＵＳＢトランシーバ３７２とＵＳＢトランシーバ３１４との間でに伝送されるデータは、送受信ドライバ３７４、３２０により半二重で差動伝送される。ＵＳＢトランシーバ３７２からＵＳＢトランシーバ３１４に伝送されたデータは、ベースバンド機能部３０８に入力される。一方、ＵＳＢトランシーバ３１４からＵＳＢトランシーバ３７２に伝送されたデータは、ＣＰＵ３６８に入力される。
【００９０】
なお、ＰＣ３６０の動作は、ＣＰＵ３６８により制御される。ＣＰＵ３６８は、ＲＯＭ３６２に記録されたプログラムを読み出し、読み出したプログラムを実行する。このとき、ＣＰＵ３６８は、プログラムの実行結果として得られるデータをＲＡＭ３６４に記録したり、そのデータを外部Ｉ／Ｆ３６６に接続された外部の機器に伝送したりする。さらに、ＣＰＵ３６８は、必要に応じて、そのデータをＵＳＢトランシーバ３７２に入力し、ＵＳＢトランシーバ３７２を制御して携帯電話３００へとデータを伝送する。また、ＣＰＵ３６８は、携帯電話３００からＵＳＢトランシーバ３１４、３７２を介して伝送されたデータを処理する。
【００９１】
以上、本発明の第３実施形態について説明した。
【００９２】
＜４：第４実施形態（ＰＣ＋ケーブル＋携帯電話）＞
次に、本発明の第４実施形態について説明する。本実施形態は、上記の第３実施形態に係るアンテナ機能付きＵＳＢケーブル３４０の機能をＰＣ３６０に組み込み、アンテナ機能付きＵＳＢケーブル３４０をＵＳＢケーブル３９０に置き換えたものである。そこで、以下の説明においては、上記の第３実施形態と実質的に同じ機能を有する構成要素については同一の符号を付することにより重複した説明を省略する。
【００９３】
以下、図４を参照しながら、本実施形態に係るアンテナダイバーシチシステムの全体構成、及び、当該システムに含まれる携帯電話３００、ＵＳＢケーブル３９０、及びＰＣ３６０の機能構成について説明する。図４は、本実施形態に係るアンテナダイバーシチシステムの全体構成例、及び、当該システムに含まれる携帯電話３００、ＵＳＢケーブル３９０、及びＰＣ３６０の機能構成例を示す説明図である。
【００９４】
図４に示すように、携帯電話３００は、主に、アンテナ３０２と、スイッチ３０４と、ＲＦ機能部３０６と、ベースバンド機能部３０８と、充電回路３１０と、充電池３１２と、ＵＳＢトランシーバ３１４と、チョークコイル３１６と、ＵＳＢコネクタ３１８と、送受信ドライバ３２０と、複数のコンデンサＣと、を有する。
【００９５】
なお、図４の例では、携帯電話３００にアンテナ３０２が１つしか記載されていないが、携帯電話３００には複数のアンテナ３０２が設けられていてもよい。また、携帯電話３００の各構成要素は、充電池３１２から電源の供給を受けて駆動する。
【００９６】
また、ＰＣ３６０は、主に、ＲＯＭ３６２と、ＲＡＭ３６４と、外部Ｉ／Ｆ３６６と、ＣＰＵ３６８と、ＰＣ電源３７０と、ＵＳＢトランシーバ３７２と、送受信ドライバ３７４と、ＵＳＢコネクタ３７６と、アンテナ３７８と、チョークコイル３８０と、複数のコンデンサＣと、を有する。なお、図４の例では、ＰＣ３６０にアンテナ３７８が１つしか記載されていないが、ＰＣ３６０には複数のアンテナ３７８が設けられていてもよい。また、ＵＳＢケーブル３９０は、ＵＳＢコネクタ３１８、３７６に接続される。
【００９７】
このように、本実施形態のアンテナダイバーシチシステムでは、上記の第３実施形態に係るアンテナ機能付きＵＳＢケーブル３４０のアンテナ３４２に代えて、ＰＣ３６０のアンテナ３７８が利用される。この点で上記の第３実施形態とは構成上の違いを有する。但し、他の構成要素が有する機能は上記の第３実施形態と実質的に同じである。
【００９８】
このように、ＰＣ３６０のアンテナ３７８を利用してアンテナダイバーシチを実現することもできる。このようにしてＰＣ３６０のアンテナ３７８を流用することで、携帯電話３００のアンテナダイバーシチを実現するために専用のアンテナを設ける必要が無くなる。その結果、アンテナダイバーシチを実現するための機構を設けるために費やされるコストを更に低減することができる。
【００９９】
以上、本発明の第４実施形態について説明した。
【０１００】
以上説明したように、上記の実施形態に係る技術は、（１）外部アンテナを利用してアンテナダイバーシチを実現する点、（２）ＲＦ信号を電源に重畳して伝送する点に主な特徴がある。（１）の特徴により、利得の大きい外部アンテナを利用することが可能になるため、伝送特性の向上効果が得られる。また、（２）の特徴により、充電用のコネクタを利用して外部アンテナからＲＦ信号を取得できるようになるため、別途コネクタを設けずに済む分だけコストが低減される。また、別途コネクタを設けることによりデザインへの制約が増してしまうのを防止することが可能になる。
【０１０１】
ところで、図１〜図４に示した具体的な構成（チョークコイル１１４、２１４、３１６の存在）から分かるように、ＲＦ信号が電源に重畳して伝送されるものの、充電回路にはＲＦ信号の成分は入力されない。そのため、本発明の各実施形態において提案された携帯電話の特徴的な構成（スイッチ１０４、２０４、３０４）を有しない一般的な携帯電話を本実施形態に係る充電器やＰＣに接続して充電することができる。
【０１０２】
本実施形態の技術を広く実施する段階においては、このようにして一般的な携帯電話との互換性を維持することは非常に重要な意味を有する。また、本実施形態の技術は、広く市場に流通しているＵＳＢケーブル等の部材を利用して実現することが可能であるため、専用の部材を利用する技術を適用する場合に比べ、製造コストや販売コストを低く抑えることができる。
【０１０３】
＜５：まとめ＞
最後に、本発明の実施形態に係る技術内容について簡単に纏める。ここで述べる技術内容は、例えば、ＰＣ、携帯電話、携帯ゲーム機、携帯情報端末、情報家電、カーナビゲーションシステム等、無線通信機能を有する種々の無線端末に電源を供給するための充電器又は給電機能を有する情報処理装置に適用できる。
【０１０４】
上記の充電器又は情報処理装置の機能構成は次のように表現することができる。当該充電器又は情報処理装置は、無線端末と接続するための接続部と、前記接続部に接続された無線端末に直流電源を供給するための給電ラインと、無線信号を受信するための無線アンテナと、前記給電ラインに流れる直流電源に前記無線アンテナにより受信された無線信号を重畳する信号重畳部と、を有する。なお、上記の無線信号は、ワンセグ等の映像・音声信号であってもよい。
【０１０５】
このように、充電器又は情報処理装置に設けられた高感度の無線アンテナを利用して無線端末が無線信号を受信することにより、無線端末が単独で無線信号を受信する場合に比べて良好な送受信特性を得ることができる。また、無線信号を給電ラインに重畳して伝送することにより、充電器又は情報処理装置から無線端末に無線信号を伝送するための特別なコネクタを用意せずに済む。その結果、無線端末の伝送用にコネクタを設けずに済む分だけコストを低く抑えることができる。また、コネクタの数を増加させずに済む分だけ、無線端末のデザインに課される制約を少なくすることができる。
【０１０６】
（備考）
上記の充電コネクタ１５８、２６４、アンテナ機能付きケーブル２４０、ＵＳＢコネクタ３１８、３７６、アンテナ機能付きＵＳＢケーブル３４０、ＵＳＢケーブル３９０は、接続部、端末側接続部、給電ラインの一例である。上記の電源１５６、２６２とスイッチ１０４、２０４とを結び、上記のアンテナ１５２、２４２から伸びる信号線が接続された電源線は、信号重畳部の一例である。また、上記のＰＣ電源３７０とスイッチ３０４とを結び、上記のアンテナ３４２、３７８から伸びる信号線が接続された電源線は、信号重畳部の一例である。
【０１０７】
上記のアンテナ１５２、２４２は、充電器側無線アンテナの一例である。上記のアンテナ１０２、２０２、３０２は、端末側無線アンテナの一例である。上記のＲＦ機能部１０６、２０６、３０６、ベースバンド機能部１０８、２０８、３０８は、信号処理部の一例である。上記のチョークコイル１１４、２１４、３１６、スイッチ１０４、２０４、３０４の前段にあるコンデンサＣは、信号分離部の一例である。上記の充電回路１１０、２１０、３１０は、充電部の一例である。
【０１０８】
上記のスイッチ１０４、２０４、３０４は、入力切替部の一例である。上記のアンテナ機能付きケーブル２４０、アンテナ機能付きＵＳＢケーブル３４０は、ケーブルの一例である。上記の充電コネクタ１１６、２１６、３１８は、充電器側接続部の一例である。上記の送受信ドライバ３２０、３７４を結ぶデータ線は、データラインの一例である。
【０１０９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１０】
上記の各実施形態においては、アンテナを固定的に切り替えて利用する構成が示されたが、所定時間毎にアンテナを切り替える構成にしてもよい。また、上記の第２実施形態においては、電源線のみが配線されたアンテナ機能付きケーブル２４０が示された。しかし、アンテナ機能付きケーブル２４０に他の信号線が配線されていてもよい。また、上記の第３及び第４実施形態においてはＵＳＢケーブルを利用する構成が示されたが、ＵＳＢケーブルに代えてＩＥＥＥ１３９４ケーブル等が用いられてもよい。
【符号の説明】
【０１１１】
１００、２００    携帯電話
１０２、２０２    アンテナ
１０４、２０４    スイッチ
１０６、２０６    ＲＦ機能部
１０８、２０８    ベースバンド機能部
１１０、２１０    充電回路
１１２、２１２    充電池
１１４、２１４    チョークコイル
１１６、２１６    充電コネクタ
１５０    アンテナ機能付き充電器
１５２    アンテナ
１５４    チョークコイル
１５６    電源
１５８    充電コネクタ
２４０    アンテナ機能付きケーブル
２４２    アンテナ
２４４    チョークコイル
２６０    充電器
２６２    電源
２６４    充電コネクタ
３００    携帯電話
３０２    アンテナ
３０４    スイッチ
３０６    ＲＦ機能部
３０８    ベースバンド機能部
３１０    充電回路
３１２    充電池
３１４    ＵＳＢトランシーバ
３１６    チョークコイル
３１８    ＵＳＢコネクタ
３２０    送受信ドライバ
３４０    アンテナ機能付きＵＳＢケーブル
３４２    アンテナ
３４４    チョークコイル
３６０    ＰＣ
３６２    ＲＯＭ
３６４    ＲＡＭ
３６６    外部Ｉ／Ｆ
３６８    ＣＰＵ
３７０    ＰＣ電源
３７２    ＵＳＢトランシーバ
３７４    送受信ドライバ
３７６    ＵＳＢコネクタ
３７８    アンテナ
３８０    チョークコイル
３９０    ＵＳＢケーブル
Ｃ    コンデンサ
【図１】
2011087166.tif 000003
【図２】
2011087166.tif 000004
【図３】
2011087166.tif 000005
【図４】
2011087166.tif 000006